【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
１つ以上の検知素子および１つ以上の制御素子を有し、
１つ以上の前記制御素子の領域は、１つ以上の前記検知素子の検知領域を提供するために、１つ以上の前記検知素子の領域に近接し、
１つ以上の前記制御素子は、前記検知領域が指または導電体の接近に対して感度が高められるかまたは下げられるように制御され、
前記検知領域は、１つ以上の指または導電体の接近位置を特定するために感度が下げられるタッチセンサ。
【請求項２】
１つ以上の検知素子および１つ以上の制御素子を有し、
１つ以上の前記制御素子の領域は、１つ以上の前記検知素子の検知領域を提供するために、１つ以上の前記検知素子の領域に近接し、
１つ以上の前記制御素子は、前記検知領域が指または導電体の接近に対して感度が高められるかまたは下げられるように制御され、
前記検知領域は、１つ以上の指または導電体の接近位置を特定するために組織的および／または選択的に感度が高められるかまたは下げられるタッチセンサ。
【請求項３】
１つ以上の前記制御素子のグループは、一度に近接する検知領域の感度を下げるように設定され、
残りの前記制御素子は、残りの近接する検知領域の感度を高めるように設定され、
当該設定において、１つ以上の指または導電体の存在または不存在を特定するための計測処理が実行され、
前記計測処理は、センサの適切な動作のために必要となる可能性のある全ての検知領域において、指または導電体の存在または不存在を特定するために、１つ以上の感度を下げる前記制御素子の異なるグループについて、組織的な方法で順次繰り返される請求項１または請求項２に記載のタッチセンサ。
【請求項４】
１つ以上の前記制御素子のグループは、一度に近接する検知領域の感度を高めるように設定され、
残りの前記制御素子は、残りの近接する検知領域の感度を下げるように設定され、
当該設定において、１つ以上の指または導電体の存在または不存在を特定するための計測処理が実行され、
前記計測処理は、センサの適切な動作のために必要となる可能性のある全ての検知領域において、指または導電体の存在または不存在を特定するために、１つ以上の感度を高める前記制御素子の異なるグループについて、組織的な方法で順次繰り返される請求項１または請求項２に記載のタッチセンサ。
【請求項５】
全ての前記検知領域は、最初に全ての前記検知領域それぞれの近傍において１つ以上の指または導電体の接近を特定するために、前記制御素子によって感度を高められるように設定され、
１つ以上の指または導電体の検知により、請求項３に記載の計測処理または請求項４に記載の計測処理が実行可能とされ、当該処理において、前記指または導電体の位置が特定され、請求項３に記載の計測処理または請求項４に記載の計測処理は、前記指または導電体がセンサから取り除かれて、前記指または導電体が検知されなくなるまで繰り返され、
全ての前記検知領域は、１つ以上の指または導電体の接近を特定するために感度が高められるように設定されて、最初のシーケンスが開始される請求項１または請求項２に記載のタッチセンサ。
【請求項６】
全ての前記検知領域は、最初のスキャンにおいて、全ての前記検知領域それぞれの近傍において１つ以上の指または導電体の接近を特定するために、前記制御素子によって感度を高められるように設定され、
１つ以上の指または導電体の検知により、１つ以上の前記制御素子のグループは、一度に近接する検知領域の感度を下げるように設定され、残りの前記制御素子は、残りの近接する検知領域の感度を高めるように設定され、
当該設定において、前記最初のスキャンで１つ以上の指または導電体の接近を検知した検知素子に沿ってのみ、１つ以上の指または導電体の存在または不存在を特定するための計測処理が実行され、
前記計測処理は、これらの検知素子の全てに沿って指または導電体の位置を特定するために、１つ以上の感度を下げる前記制御素子の異なるグループについて、組織的な方法で順次繰り返され、
全ての前記検知領域が１つ以上の指または導電体の接近を特定するために感度を高められた前記最初のスキャンの処理が再び開始される請求項１または請求項２に記載のタッチセンサ。
【請求項７】
全ての前記検知領域は、最初のスキャンにおいて、全ての前記検知領域それぞれの近傍において１つ以上の指または導電体の接近を特定するために、前記制御素子によって感度を高められるように設定され、
１つ以上の指または導電体の検知により、１つ以上の前記制御素子のグループは、一度に近接する検知領域の感度を高めるように設定され、残りの前記制御素子は、残りの近接する検知領域の感度を下げるように設定され、
当該設定において、前記最初のスキャンで１つ以上の指または導電体の接近を検知した検知素子に沿ってのみ、１つ以上の指または導電体の存在または不存在を特定するための計測処理が実行され、
前記計測処理は、これらの検知素子の全てに沿って指または導電体の位置を特定するために、１つ以上の感度を高める前記制御素子の異なるグループについて、組織的な方法で順次繰り返され、
全ての前記検知領域が１つ以上の指または導電体の接近を特定するために感度を高められた前記最初のスキャンの処理が再び開始される請求項１または請求項２に記載のタッチセンサ。
【請求項８】
前記検知素子は、検知素子および制御素子の両方となるように設定され、また、異なる時点においては、検知素子または制御素子のいずれかとなるように設定され、
前記制御素子および前記検知素子は、ｘが制御素子でありｙが検知素子であるような第１の配列において動作し、
その後、ｙが制御素子でありｘが検知素子であるような第２の配列において前記制御素子が検知素子となり、元々の前記検知素子が制御素子となる請求項１〜７のいずれか一項に記載のタッチセンサ。
【請求項９】
全ての前記検知素子は、前記第１の配列において１つ以上の指または導電体の接近を検知するために、第１の配列のｘにおける前記制御素子によって感度が高められるように設定され、その後、前記制御素子および前記検知素子は前記第２の配列に変更され、
これによって、新たな前記検知素子は、前記第２の配列のｙにおいて１つ以上の指または導電体の接近を検知するために、新たな前記制御素子によって感度が高められるように設定され、ｘ／ｙエッジスキャンを行う結果となり、
当該検知処理は、１つ以上の指または導電体が検知されるまで繰り返され、
両方の配列それぞれにおける１つのみの指または導電体の前記検知は、指または導電体のｘ／ｙ位置を示し、
１つまたは両方の配列における２つの指または導電体の前記検知は、これらの２つの指または導電体の４つの不明瞭な位置を形成し、
１つ以上の選択された制御素子は、これらの位置において指または導電体の存在または不存在を特定して前記ｘ／ｙエッジスキャンの結果を明確にするために、１つずつ、これらの位置の１つにおいて前記検知領域の感度を下げるように設定され、
１つまたは両方の配列において、３つの指または導電体が検知された場合、これらの３つの指または導電体の９つの不明瞭な位置が特定され、３つの指または導電体の全ての位置が明確にされるまで、各位置において、指または導電体の存在または不存在を特定するために、これらのいくつかまたは全ての位置において検知領域の感度を下げられるために、１つずつ、複数の選択された制御素子が選択され、
当該明確化処理は、４つ以上の指または導電体を検知するために繰り返されることができ、
明確な結果が出力され、新たなｘ／ｙエッジスキャンとともに前記検知処理および前記明確化処理が再開される請求項８に記載のタッチセンサ。
【請求項１０】
全ての前記検知素子は、前記第１の配列において１つ以上の指または導電体の接近を検知するために、第１の配列のｘにおける前記制御素子によって感度が高められるように設定され、その後、前記制御素子および前記検知素子は前記第２の配列に変更され、
新たな前記検知素子は、前記第２の配列のｙにおいて１つ以上の指または導電体の接近を検知するために、新たな前記制御素子によって感度が高められるように設定され、ｘ／ｙエッジスキャンを行う結果となり、
当該検知処理は、１つ以上の指または導電体が検知されるまで繰り返され、
両方の配列それぞれにおける１つのみの指または導電体の検知は、指または導電体のｘ／ｙ位置を示し、
１つまたは両方の配列における２つの指または導電体の検知は、これらの２つの指または導電体の４つの不明瞭な位置を形成し、
３つの指または導電体の検知は、９つの不明瞭な位置を形成し、
４つの指または導電体の検知は、１６の不明瞭な位置を形成し、
５つの指または導電体の検知は、２５の不明瞭な位置を形成し、
１つの制御素子を除いた全ての前記制御素子は、関連付けられた検知領域の全ての感度を下げるように設定され、
除かれた前記１つの制御素子は、当該位置における指または導電体の存在または不存在を特定するために、これらの不明瞭な位置の１つにおいて前記検知領域の感度を高めるように設定され、
当該明確化処理は、他の不明瞭な位置のため、または全ての不明瞭な位置が明確になるまで繰り返され、
明確な結果が出力され、新たなｘ／ｙエッジスキャンとともに前記検知処理および前記明確化処理が再開される請求項８に記載のタッチセンサ。
【請求項１１】
前記明確化処理は、第１の配列、第２の配列または両方の配列において明確にすることを含む請求項９または請求項１０に記載のタッチセンサ。
【請求項１２】
全ての前記検知素子は、前記第１の配列において１つ以上の指または導電体の接近を検知するために、第１の配列のｘにおける前記制御素子によって感度が高められるように設定され、その後、前記制御素子および前記検知素子は前記第２の配列に変更され、
これによって、新たな前記検知素子は、前記第２の配列において１つ以上の指または導電体の接近を検知するために、新たな前記制御素子によって感度が高められるように設定され、ｘ／ｙエッジスキャンを行う結果となり、
当該検知処理は、１つ以上の指または導電体が検知されるまで繰り返され、
請求項３または請求項４に記載の計測処理が、これらの指または導電体の明確な前記位置を特定するために開始され、前記指または導電体が取り除かれて、指または導電体が検知されなくなるまで繰り返され、
全ての前記検知領域は、１つ以上の指または導電体の接近を特定するために感度が高められて最初のシーケンスが開始される請求項８に記載のタッチセンサ。
【請求項１３】
全ての前記検知素子は、前記第１の配列において１つ以上の指または導電体の接近を検知するために、第１の配列のｘにおける前記制御素子によって感度が高められるように設定され、その後、前記制御素子および前記検知素子は前記第２の配列に変更され、
これによって、新たな前記検知素子は、前記第２の配列において１つ以上の指または導電体の接近を検知するために、新たな前記制御素子によって感度が高められるように設定され、ｘ／ｙエッジスキャンを行う結果となり、
当該検知処理は、１つ以上の指または導電体が検知されるまで繰り返され、
請求項３または請求項４に記載の計測処理が、これらの指または導電体の明確な前記位置を特定するために開始され、
全ての前記検知領域は、１つ以上の指または導電体の接近を特定するために感度が高められて最初のシーケンスが開始される請求項８に記載のタッチセンサ。
【請求項１４】
請求項３または請求項４に記載のスキャン処理が第１の配列において完了した後に、同様のスキャン処理が第２の配列において実行され、指または導電体の位置の良好な表示のために、両方のスキャン処理の結果が統合される請求項３、４、１２または１３のいずれか一項に記載のタッチセンサ。
【請求項１５】
２つ以上の制御素子の組織的なローリングの組合せは、１つの大きな制御素子として動作するために一時的に結合され、および／または、２つ以上の検知素子は、１つの大きな検知素子として動作するために一時的に結合され、
ローリングの一例は、素子１、２および３が結合され、その後、素子２、３および４が結合され、その後、素子３、４および５が結合されることである請求項３または請求項４に記載のタッチセンサ。
【請求項１６】
制御素子による検知素子の制御の手段および検知の手段は、静電容量方式であり、
タッチの存在または不存在の特定の手段は、動的な静電容量方式または投影型の静電容量方式であり、
使用される可能性のある全てのマスクのために使用される可能性のある全ての制御の設定の組合せのために、電源投入時においてタッチされていない場合の基準値が特定されて記録され、
これらの値は徐々に更新され、タッチの閾値は、タッチされていない場合の信号強度よりも大きいタッチの信号強度により特定される請求項１〜１５のいずれか一項に記載のタッチセンサ。
【請求項１７】
前記検知素子は、静電容量に依存するオシレータまたは他の静電容量に依存する回路の検知入力に接続される請求項１〜１６のいずれか一項に記載のタッチセンサ。
【請求項１８】
前記検知領域の感度を高める手段は、前記制御素子のアクティブバックプレーン信号の存在によるものである請求項１〜１７のいずれか一項に記載のタッチセンサ。
【請求項１９】
前記検知領域の感度を下げる手段は、前記制御素子をグラウンドに接続することによる請求項１〜１７のいずれか一項に記載のタッチセンサ。
【請求項２０】
前記検知領域の感度を下げる手段は、前記制御素子の非アクティブバックプレーン信号または他の妨害信号の存在による請求項１〜１７のいずれか一項に記載のタッチセンサ。
【請求項２１】
制御素子による検知素子の制御の手段、および検知の手段は、誘電式である請求項１〜１５のいずれか一項に記載のタッチセンサ。
【請求項２２】
前記検知領域の感度を下げる手段は、前記制御素子において誘電式のループを閉じることによるものである請求項２１に記載のタッチセンサ。
【請求項２３】
前記制御素子および前記検知素子は、細く引き延ばされたまたは押し出し形成された金属ワイヤ、鉄筋コンクリート棒、銅線、導電性のプレート材、穴のあいた導電性のプレート材料、導電性ワイヤのメッシュ、インジウム錫酸化物（ＩＴＯ）またはアンチモン錫酸化物（ＡＴＯ）、ナノ粒子インクまたはナノチューブインクのような透明な導電性の印刷インク、銀インクまたは炭素インクのような不透明な導電性の印刷インクのような、十分または適度に導電性があるいかなる素材で形成される、切れ目のない導電性の薄板、メッシュ状にされた導電性のレイヤー、細い導電トレースまたは細い導電ワイヤである請求項１〜２２のいずれか一項に記載のタッチセンサ。
【請求項２４】
前記制御素子および前記検知素子は、インジウム錫酸化物である請求項１〜２３のいずれか一項に記載のタッチセンサ。
【請求項２５】
前記制御素子および前記検知素子は、ワイヤである請求項１〜２２のいずれか一項に記載のタッチセンサ。
【請求項２６】
前記検知領域における前記ワイヤの配線は、ｘ軸およびｙ軸におけるワイヤ間の容量結合の量を増加させるために、反対の方向に進む進路をたどる請求項２５に記載のタッチセンサ。
【請求項２７】
前記制御素子および前記検知素子は、導電性のメッシュ状にされた材料である請求項１〜２２のいずれか一項に記載のタッチセンサ。
【請求項２８】
一組の素子は、導電性の薄板状の材料であり、他の一組の素子は、ワイヤである請求項１〜２２のいずれか一項に記載のタッチセンサ。
【請求項２９】
一組の素子は、導電性の薄板状の材料であり、他の一組の素子は、導電性のメッシュ状にされた材料である請求項１〜２２のいずれか一項に記載のタッチセンサ。
【請求項３０】
前記制御素子および前記検知素子は、規則正しい方法で互いに直交して配列され、センサのスクリーンのｘおよびｙの素子を形成する請求項１〜２９のいずれか一項に記載のタッチセンサ。
【請求項３１】
前記制御素子は、スクリーンの背面の全体を覆う導電性の薄板状の材料から形成される請求項１〜７または３０のいずれか一項に記載のタッチセンサ。
【請求項３２】
前記ｘおよびｙの素子の両方は、常に制御素子として使用され、検知素子としては使用されない請求項３０に記載のタッチセンサ。
【請求項３３】
前記ｘおよびｙの配列の両方において、制御素子によって部材の感度が高められまたは下げられうる検知素子を有し、
前記検知素子の全ては、制御素子として設定されてもよく、コントローラが、２つの制御素子の間の１つの検知領域がタッチを検知できるように制御素子を制御するように設定されうる請求項３０に記載のタッチセンサ。
【請求項３４】
小さいまたは非常に大きいタッチスクリーン、折り畳み可能で紙のように薄いタッチ操作可能な電子リーダ、ケースもしくはスクリーンがタッチ操作可能な携帯電話、個人用携帯情報機器、ラップトップコンピュータもしくはジュークボックス、タッチ操作可能なタブレット、木の被削面、壁紙、床タイル、電子的なマルチユーザー用ゲームタブレット、インタラクティブな会議用テーブル、コントロールパネル、または、単一もしくはマルチユーザー用のタッチ操作可能な面を必要とする装置であり、たとえば二重窓を含むお店のウィンドウガラスを通して操作するように設定される請求項１〜３３のいずれか一項に記載のタッチセンサ。
【請求項３５】
１つ以上の検知素子および１つ以上の制御素子を有し、
１つ以上の前記制御素子の領域は、１つ以上の前記検知素子の検知領域を提供するために、１つ以上の前記検知素子の領域に近接し、
１つ以上の前記制御素子は、前記検知領域が指または導電体の接近に対して感度が高められるかまたは下げられるように制御され、
センサの回路の選択された部分は、１つ以上の指または導電体の不要な検知を防止するために常に感度が下げられているタッチセンサ。
【請求項３６】
前記検知領域が指または導電体の接近を検知するように前記制御素子を設定する手段は、前記制御素子を、感度を高める信号に接続することにより実現され、
前記検知領域が指または導電体の接近を検知しないように前記制御素子を設定する手段は、前記制御素子を、感度を下げる信号に接続することによって実現される請求項１または請求項２に記載のタッチセンサ。
【請求項３７】
前記検知領域は、複数の指または導電体の接近を区別するために、感度が下げられている請求項１に記載のタッチセンサ。
【請求項３８】
１つ以上の前記検知素子および１つ以上の前記制御素子が検知領域を提供するために相交わるように、１つ以上の検知素子は、１つ以上の前記制御素子と異なる方向に配列され、または、検知領域を提供するために、１つ以上の前記検知素子の少なくとも一部は、１つ以上の前記制御素子の少なくとも一部と実質的に同じ方向に、近接して、配列される請求項１に記載のタッチセンサ。
【請求項３９】
前記検知領域の感度を下げるために、１つ以上の前記制御素子はグラウンドに接続される請求項１に記載のタッチセンサ。
【請求項４０】
前記検知領域の感度を高めるために、１つ以上の前記制御素子が電気的にフローティングされている請求項１に記載のタッチセンサ。
【請求項４１】
前記検知領域の感度を高めるために、アクティブバックプレーン信号に１つ以上の前記制御素子を接続する請求項１に記載のタッチセンサ。
【請求項４２】
前記検知領域の感度を下げるために、１つ以上の前記制御素子をグラウンドに接続し、または、前記検知領域の感度を高めるために、１つ以上の前記制御素子を電気的にフローティングさせるスイッチをさらに有する請求項４０に記載のタッチセンサ。
【請求項４３】
前記検知領域の感度を下げるために、１つ以上の前記制御素子をグラウンドに接続し、または、前記検知領域の感度を高めるために、１つ以上の前記制御素子を前記アクティブバックプレーン信号に接続するスイッチをさらに有する請求項４１に記載のタッチセンサ。
【請求項４４】
前記制御素子のそれぞれ用のスイッチを有する請求項４２または請求項４３に記載のタッチセンサ。
【請求項４５】
複数の制御素子を有し、各前記制御素子が順に対応する検知領域の感度を高めるかまたは下げるように、当該複数の制御素子を周期的に制御するコントローラをさらに有する請求項１に記載のタッチセンサ。
【請求項４６】
１つ以上の前記検知素子からの情報の受信に従って、スイッチを操作し、
また、任意的に、１つ以上の前記検知素子から返信された信号により表される複数の指または導電体を区別するために制御すべき前記制御素子を特定し、
さらに、複数の指または導電体のうちの１つの位置に対応し前に感度が高められていた対応検知領域について、感度を下げるために、前記制御素子を制御できるコントローラをさらに有する請求項４２〜４４のいずれか一項に記載のタッチセンサ。
【請求項４７】
前記コントローラは、
全ての検知素子の感度を高めるために前記制御素子を制御し、さらに、
前記検知素子から情報を受信することと、
前記検知素子から受信した情報に応答して、対応する検知領域の感度を下げるために前記制御素子を制御することとを、
複数の指または導電体が区別可能になるまで繰り返す請求項４６に記載のタッチセンサ。
【請求項４８】
１つ以上の前記検知素子は、制御素子として構成され、および／または、１つ以上の前記制御素子は検知素子として構成され、
また、任意的に、全ての前記検知素子は、制御素子として構成され、コントローラは、２つの制御素子間の単一の検知領域がタッチを検知できるように前記制御素子を制御する請求項１に記載のタッチセンサ。
【請求項４９】
前記検知素子は、投影型静電容量方式を用いて指または導電体を特定する請求項１に記載のタッチセンサ。
【請求項５０】
１つ以上の前記検知素子を連結するワイヤと、前記ワイヤがタッチを検知しないように当該ワイヤの近傍に設けられたシールドとを有し、
前記シールドは、グラウンドに接続されたワイヤでありうる請求項１に記載のタッチセンサ。
【請求項５１】
１つ以上の素子からなる第１セットおよび１つ以上の素子からなる第２セットを含み、前記第１セットおよび前記第２セットの素子はいずれも検知素子および制御素子のいずれとしても動作可能であるコントローラを有し、
前記コントローラは、前記第１セットの素子を検知素子として使用して１つ以上の指または導電体の先行の位置を特定し、前記第１セットの素子を制御素子とし前記第２セットの素子を検知素子として使用して１つ以上の指または導電体の第２の位置を特定し、
前記コントローラは、さらに、先行の位置および第２の位置に従って、１つ以上の指または導電体の合成位置を特定する請求項１に記載のタッチセンサ。
【請求項５２】
１つ以上の検知素子および１つ以上の制御素子を有し、１つ以上の前記制御素子の領域は、１つ以上の前記検知素子の検知領域を提供するために、１つ以上の前記検知素子の領域に近接するタッチセンサの駆動方法であって、
前記検知領域が指または導電体の接近に対して感度を高められるかまたは下げられるように、１つ以上の前記制御素子を制御することと、
１つ以上の指または導電体の接近位置を特定するために、前記検知領域の感度を下げることと、を含むタッチセンサの駆動方法。
【請求項５３】
１つ以上の前記検知素子および／または１つ以上の前記制御素子は、メッシュ状にされた導電レイヤーを有する請求項１に記載のタッチセンサ。
【請求項５４】
１つ以上の前記検知素子および／または１つ以上の前記制御素子は、透明な導電性の印刷インクを有する請求項１に記載のタッチセンサ。
【請求項５５】
１つ以上のワイヤの検知素子および１つ以上の制御素子を有し、
制御素子の領域は、前記検知素子の検知領域を提供するために、検知素子の領域に近接し、前記制御素子は、前記検知領域の感度が高められるかまたは下げられるように制御され、前記検知素子の前記検知領域は、１つ以上の指または導電体の位置を特定するために感度が下げられるタッチセンサ。
【請求項５６】
１つ以上の前記制御素子はワイヤを有する請求項１、２または５５のいずれか一項に記載のタッチセンサ。
【請求項５７】
前記ワイヤはジグザグ状にされている請求項２５、２８、５５または５６のいずれか一項に記載のタッチセンサ。
【請求項５８】
１つの配列において１つ以上の制御素子の一組を有し、前記１つの配列において１つ以上の検知素子の一組を有し、他の配列において他の検知素子の一組を有する請求項１または請求項２に記載のタッチセンサ。